(57)【要約】【課題】本発明は、実装性を向上させることができる抵抗器を提供することを目的とするものである。【解決手段】本発明の抵抗器は、第１〜第４の側壁１１ａ〜１１ｄを有する略直方体のケース１１と、前記第１の側壁１１ａに設けられた２つの切欠部１２と、前記ケース１１内に充填された絶縁材１３と、この絶縁材１３に埋設された抵抗体１４と、前記ケース１１内において前記抵抗体１４の両端部１４ａに接続され、かつその一端部１５ａが前記２つの切欠部１２から前記ケース１１の外側にそれぞれ引き出された一対の端子１５とを備え、前記一対の端子１５の他端部１５ｂにおける一面を前記抵抗体１４の両端部の外側の一面に接続するとともに、前記第１の側壁１１ａの両端部に位置する第２の側壁１１ｂおよび第３の側壁１１ｃの内壁に凸部１６を形成し、かつこの凸部１６に前記一対の端子１５の他端部１５ｂを前記第１の側壁１１ａ側から当接させたものである。【選択図】図１
2010177311.tif 000002
【特許請求の範囲】
【請求項１】
第１〜第４の側壁および底面を有し、かつ上面が開口した略直方体のケースと、このケースにおける第１の側壁に設けられた２つの切欠部と、前記ケース内に充填された絶縁材と、この絶縁材に埋設された抵抗体と、前記ケース内において前記抵抗体の両端部に接続され、かつその一端部が前記２つの切欠部から前記ケースの外側にそれぞれ引き出された一対の端子とを備え、前記一対の端子の他端部における一面を前記抵抗体の両端部の外側の一面に接続するとともに、前記第１の側壁の両端部に位置する第２の側壁および第３の側壁の内壁に凸部を形成し、かつこの凸部に前記一対の端子の他端部を前記第１の側壁側から当接させた抵抗器。
【請求項２】
第１の側壁における２つの切欠部間に位置する領域において、内壁の幅が外壁の幅より狭くなるように前記領域の両端部に欠落部を形成した請求項１記載の抵抗器。
【発明の詳細な説明】
【技術分野】
【０００１】
本発明は、デジタル機器、ＡＶ機器、情報通信端末、エアコン、冷蔵庫等の各種電子機器に使用される抵抗器に関するものである。
【背景技術】
【０００２】
従来のこの種の抵抗器は、図３に示すように、４つの側壁のうち１つの側壁１ａに切欠部２を有し、かつ上面１ａが開口したケース１と、このケース１に充填された絶縁材（図示せず）と、この絶縁材内に埋設された抵抗体３と、この抵抗体３の両端部に接続され、かつその先端部がケース１の切欠部２からケース１の外部に引き出された一対の端子４とを備え、そして、前記抵抗体３はケース１内においてＵ字状に折り曲げられた構成となっていた。
【０００３】
なお、この出願の発明に関する先行技術文献情報としては、例えば、特許文献１が知られている。
【特許文献１】特開２００１−２１７１０１号公報
【発明の開示】
【発明が解決しようとする課題】
【０００４】
上記した従来の抵抗器においては、一対の端子４を位置決めすることができないため、一対の端子４が引き出される方向がケース１に対して曲がってしまう場合があり、これにより、実装性が悪いという課題を有していた。
【０００５】
本発明は上記従来の課題を解決するもので、実装性を向上させることができる抵抗器を提供することを目的とするものである。
【課題を解決するための手段】
【０００６】
上記目的を達成するために、本発明は以下の構成を有するものである。
【０００７】
本発明の請求項１に記載の発明は、第１〜第４の側壁および底面を有し、かつ上面が開口した略直方体のケースと、このケースにおける第１の側壁に設けられた２つの切欠部と、前記ケース内に充填された絶縁材と、この絶縁材に埋設された抵抗体と、前記ケース内において前記抵抗体の両端部に接続され、かつその一端部が前記２つの切欠部から前記ケースの外側にそれぞれ引き出された一対の端子とを備え、前記一対の端子の他端部における一面を前記抵抗体の両端部の外側の一面に接続するとともに、前記第１の側壁の両端部に位置する第２の側壁および第３の側壁の内壁に凸部を形成し、かつこの凸部に前記一対の端子の他端部を前記第１の側壁側から当接させたもので、この構成によれば、一対の端子の他端部における一面を前記抵抗体の両端部の外側の一面に接続するとともに、第２の側壁および第３の側壁の内壁に形成された凸部に前記一対の端子の他端部を前記第１の側壁側から当接させているため、一対の端子の位置を固定することができ、これにより、一対の端子の位置決めが可能となるため、一対の端子が引き出される方向をケースの長手方向と平行にすることができ、これにより、実装性を向上させることができるという作用効果が得られるものである。
【０００８】
本発明の請求項２に記載の発明は、特に、第１の側壁における２つの切欠部間に位置する領域において、内壁の幅が外壁の幅より狭くなるように前記領域の両端部に欠落部を形成したもので、この構成によれば、端子の他端部における一面に接続された抵抗体の一部分を欠落部に挿入することができるため、抵抗体と端子とが接続される寸法を長くすることができ、これにより、抵抗体と一対の端子との接続強度を強くすることができるという作用効果が得られるものである。
【発明の効果】
【０００９】
以上のように本発明の抵抗器は、一対の端子の他端部における一面を抵抗体の両端部の外側の一面に接続するとともに、前記第１の側壁の両端部に位置する第２の側壁および第３の側壁の内壁に凸部を形成し、かつこの凸部に前記一対の端子の他端部を前記第１の側壁側から当接させているため、一対の端子の位置を固定することができ、これにより、一対の端子の位置決めが可能となるため、一対の端子が引き出される方向をケースの長手方向と平行にすることができ、これにより、実装性を向上させることができるという優れた効果を奏するものである。
【発明を実施するための最良の形態】
【００１０】
以下、本発明の一実施の形態における抵抗器について、図１、図２を参照しながら説明する。
【００１１】
図１は本発明の一実施の形態における抵抗器の一部切欠上面図、図２は同抵抗器の斜視図である。
【００１２】
本発明の一実施の形態における抵抗器は、図１、図２に示すように、第１〜第４の側壁１１ａ〜１１ｄおよび底面１１ｅを有し、かつ上面１１ｆが開口した略直方体のケース１１と、このケース１１における第１の側壁１１ａに設けられた２つの切欠部１２と、前記ケース１１内に充填された絶縁材１３と、この絶縁材１３に埋設された抵抗体１４と、前記ケース１１内において前記抵抗体１４の両端部１４ａに接続され、かつその一端部１５ａが前記２つの切欠部１２から前記ケース１１の外側にそれぞれ引き出された一対の端子１５とを備え、さらに、前記一対の端子１５の他端部１５ｂにおける一面を前記抵抗体１４の両端部の外側の一面に接続するとともに、前記第１の側壁１１ａの両端部に位置する第２の側壁１１ｂおよび第３の側壁１１ｃの内壁に凸部１６を形成し、かつこの凸部１６に前記一対の端子１５の他端部１５ｂを前記第１の側壁１１ａ側から当接させたものである。
【００１３】
上記構成において、前記ケース１１は、アルミナ、ステアタイト等のセラミックで略直方体に構成されているもので、その上面１１ｆは開口し、さらに、第１の側壁１１ａと、この第１の側壁１１ａの両端部に位置する第２、第３の側壁１１ｂ，１１ｃと、前記第１の側壁１１ａと対向し、かつその両端部に第２、第３の側壁１１ｂ，１１ｃが位置する第４の側壁１１ｄとを有し、そして、この第１〜第４の側壁１１ａ〜１１ｄと底面１１ｅに囲まれた部分の内部に絶縁材１３と抵抗体１４が収容されるようになっているものである。
【００１４】
そして、前記第２の側壁１１ｂと第３の側壁１１ｃの内壁には凸部１６がそれぞれ設けられているもので、この凸部１６は前記ケース１１と一体的に形成され、かつ第１の側壁１１ａの内壁よりも中心部側（第４の側壁１１ｄ側）に設けられている。また、この２つの凸部１６は、凸部１６同士を結ぶ直線がケース１１の長手方向と直角になるように位置しているものであり、さらに、この凸部１６の高さは、ケース１１の深さと同一、または低くなっているものである。
【００１５】
なお、前記凸部１６の上面から見た形状は四角形となっているが、この凸部１６は第１の側壁１１ａ側の形状が直線状であれば、他の形状であってもよい。
【００１６】
また、前記ケース１１における第１の側壁１１ａには２つの切欠部１２が設けられているもので、この切欠部１２は第１の側壁１１ａに上面から切り込まれた有底の溝であり、この切欠部１２を通して一対の端子１５をケース１１の内部から外部に引き出すようになっている。そして、この切欠部１２の幅は一対の端子１５の径と略同一となっているもので、これにより、絶縁材１３がケース１１の外部の方向に流出するのを防止することができるものである。
【００１７】
そしてまた、前記第１の側壁１１ｂにおける２つの切欠部１２間に位置する領域において、内壁の幅が外壁の幅より狭くなるように第１の側壁１１ｂのこの領域の両端部に欠落部１７を形成している。
【００１８】
また、前記絶縁材１３は、ケース１１内に充填して硬化させるセメント等により構成されているもので、抵抗体１４を保護したり、あるいは抵抗体１４で発生した熱を放熱させるために設けられているものである。
【００１９】
さらに、前記抵抗体１４は、銅、銅ニッケルまたはニッケルクロム等の合金により帯状に構成され、かつ絶縁材１３に埋設されている。そして、この抵抗体１４は、ケース１１内において略１８０度折り返すように略Ｕ字状に折り曲げられており、かつこのＵ字状部はケース１１における第４の側壁１１ｄに向かって突出するように構成されている。なお、この抵抗体１４は、ケース１１内において略Ｍ字状に折り曲げてもよく、さらには、抵抗体１４の中央部を、円柱状の基台に金属線を巻回させたもので形成してもよい。
【００２０】
さらにまた、前記一対の端子１５は帯状または断面が円形の線状に構成されており、そして、前記抵抗体１４より熱伝導率が高い金属材料で構成され、かつ抵抗体１４の両端部１４ａに接続されている。また、この一対の端子１５の一端部１５ａはケース１１の切欠部１２からケース１１の外部に引き出されている。そしてまた、前記一対の端子１５の他端部１５ｂの先端は凸部１６に当接している。なお、前記一対の端子１５の一端部１５ａはそれぞれ２つに分割されているため、４端子となっているが、２端子であっても構わない。
【００２１】
また、前記一対の端子１５の他端部１５ｂの一面は、抵抗体１４の外側、すなわち第２、第３の側壁１１ｂ、１１ｃ側の一面に溶接等により接続されており、そして、前記抵抗体１４の端部１４ａにおいては、端子１５の他端部１５ｂの一面に接続されている部分（以下、接合部１８とする）が、第１の側壁１１ａに形成されている欠落部１７に挿入されているもので、これにより、絶縁材１３を接合部１８の周囲にも回りこませることができるため、抵抗体１４で発生した熱をより多く放熱させることができる。なお、欠落部１７の長手方向の寸法Ｌは、接合部１８の長さより長くなっている。
【００２２】
次に、本発明の一実施の形態における抵抗器の製造方法について、図１、図２を参照しながら説明する。
【００２３】
まず、図１に示すように、第１の側壁１１ａと、この第１の側壁１１ａの両端部に位置する第２、第３の側壁１１ｂ，１１ｃと、前記第１の側壁１１ａと対向し、かつその両端部に第２、第３の側壁１１ｂ，１１ｃが位置する第４の側壁１１ｄと、底面１１ｅとを有し、かつ上面１１ｆが開口したケース１１を用意する。このケース１１には、第２の側壁１１ｂの内壁と第３の側壁１１ｃの内壁にそれぞれ設けられる凸部１６をケース１１と一体的に形成する。さらに、前記第１の側壁１１ａには２つの切欠部１２を形成するとともに、第１の側壁１１ａの２つの切欠部１２間に位置する領域においては、内壁の幅が外壁の幅より狭くなるように第１の側壁１１ａにおける前記領域の両端部に欠落部１７を形成する。
【００２４】
次に、帯状の抵抗体１４の両端部１４ａの一面に、一対の端子１５の他端部１５ｂの一面を溶接等の方法により接合する。
【００２５】
次に、抵抗体１４を略１８０度折り返して略Ｕ字状に折り曲げる。このとき、抵抗体１４の外側に一対の端子１５が位置するようにする。
【００２６】
次に、抵抗体１４をケース１１の上面１１ｆの開口部からケース１１内に収容するとともに、一対の端子１５の一端部１５ａを、ケース１１における第１の側壁１１ａの切欠部１２からケース１１の外部に引き出す。このとき、一対の端子１５は他端部１５ｂを凸部１６に第１の側壁１１ａ側から当接させるとともに、抵抗体１４の先端部１４ａを欠落部１７に挿入する。
【００２７】
最後に、ケース１１の上面１１ｆの開口部からペースト状の絶縁材１３を充填し、そしてこの絶縁材１３を所定温度で硬化させることにより、抵抗器は製造されるものである。
【００２８】
上記した本発明の一実施の形態における抵抗器においては、一対の端子１５の他端部１５ｂにおける一面を抵抗体１４の両端部の外側の一面に接続するとともに、第２の側壁１１ｂおよび第３の側壁１１ｃの内壁に凸部１６を形成し、かつこの凸部１６に前記一対の端子１５の他端部１５ｂの先端を第１の側壁１１ａ側から当接させているため、一対の端子１５の位置を固定することができ、これにより、一対の端子１５の位置決めが可能となるため、一対の端子１５が引き出される方向をケース１１の長手方向と平行にすることができ、これにより、実装性を向上させることができるという効果が得られるものである。
【００２９】
すなわち、凸部１６が形成されていない場合は、一対の端子１５の位置を固定できないため、一方の端子１５の他端部１５ｂの先端と、他方の端子１５の他端部１５ｂの先端とを結ぶ直線がケース１１の長手方向と直角にならない場合があり、この場合は、一対の端子１５の引き出される方向がケース１１に対して曲がってしまい、その結果、実装時に、実装基板と一対の端子１５の引き出される方向とが垂直にならずに、実装不良が発生する場合があるからである。
【００３０】
また、前記欠落部１７の長手方向の寸法Ｌは、接合部１８の長さに対応して設定できるため、抵抗体１４と一対の端子１５との厚み寸法より広い切欠部１２を形成する必要はなく、これにより、切欠部１２の幅を一対の端子１５の径と略同一とすることができるため、一対の端子１５が引き出される方向とケース１１の長手方向が平行になり、これにより、実装不良の発生を抑制することができる。
【００３１】
一方、欠落部１７を形成せずに抵抗体１４と一対の端子１５との厚み寸法を考慮して切欠部１２を広く形成した場合は、切欠部１２の幅を一対の端子１５の径と略同一とすることができないため、抵抗体１４をＵ字状に曲げたことによって発生するスプリングバックにより、一対の端子１５がハ字状に広がってしまい、その結果、実装基板の所定位置に一対の端子１５を挿入できなくなって、実装不良が発生してしまう。
【００３２】
そしてまた、上記本発明の一実施の形態においては、第１の側壁１１ａにおける２つの切欠部１２間に位置する領域において、内壁の幅が外壁の幅より狭くなるように前記領域の両端部に欠落部１７を形成しているため、端子１５の他端部１５ｂにおける一面に接続された抵抗体１４の一部分を欠落部１７に挿入することができ、これにより、抵抗体１４と端子１５とが接続される寸法を長くすることができる（抵抗体１４と端子１５との接続面積を広くすることができる）ため、抵抗体１４と一対の端子１５との接続強度を強くすることができるものである。
【００３３】
さらに、抵抗体１４で発生した熱を凸部１６を介して逃がすことができるため、抵抗体１４の温度を下げることができ、また、一対の端子１５が凸部１６と切欠部１２で固定されるため、衝撃等により抵抗体１４と一対の端子１５がケース１１内で移動することはなくなり、これにより、端子１５の形状が変化することなく、実装基板との接続安定性を向上させることができる。そしてまた、一対の端子１５の位置を固定できるため、一対の端子１５における実装基板にはんだ付けされる箇所も安定し、これにより、抵抗値が変動するのを防止することができるものである。
【産業上の利用可能性】
【００３４】
本発明に係る抵抗器は、実装性を向上させることができるという効果を有するものであり、特にデジタル機器、ＡＶ機器、情報通信端末、エアコン、冷蔵庫等の各種電子機器に使用される抵抗器等において有用となるものである。
【図面の簡単な説明】
【００３５】
【図１】本発明の一実施の形態における抵抗器の一部切欠上面図
【図２】同抵抗器の斜視図
【図３】従来の抵抗器の上面図
【符号の説明】
【００３６】
１１  ケース
１１ａ  第１の側壁
１１ｂ  第２の側壁
１１ｃ  第３の側壁
１１ｄ  第４の側壁
１１ｅ  ケースの底面
１１ｆ  ケースの上面
１２  切欠部
１３  絶縁材
１４  抵抗体
１４ａ  抵抗体の端部
１５  一対の端子
１５ａ  端子の一端部
１５ｂ  端子の他端部
１６  凸部
１７  欠落部
【図１】
2010177311.tif 000003
【図２】
2010177311.tif 000004
【図３】
2010177311.tif 000005